(57)【要約】      （修正有）【課題】処方箋を発行した医療機関と処方箋を受領した薬局との地理的な関係の確認を容易化する。【解決手段】端末装置に入力された薬局の指定または医療機関の指定を含む入力信号を受信する通信部１４と、情報を処理する処理部１５１とを有し、処理部１５１は、指定の薬局を識別する薬局識別情報と関連付けられた医療機関識別情報を記憶部１１から取得するか、または指定の医療機関を識別する医療機関識別情報と関連付けられた薬局識別情報を記憶部１１から取得し、薬局識別情報に関連付けられた薬局地図位置情報を記憶部１１から取得し、医療機関識別情報に関連付けられた医療機関地図位置情報を記憶部１１から取得し、薬局地図位置情報と医療機関地図位置情報を用いて、地図画像上に薬局の位置と当局が受領した処方箋を発行した医療機関の位置を示した出力画像を出力する。【選択図】図２
2017138670.tif 000002
【特許請求の範囲】
【請求項１】
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶部と、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶部から取得するか、または前記指定の医療機関を識別する医療機関識別情報と関連付けられた薬局識別情報を前記記憶部から取得し、当該薬局識別情報に関連付けられた薬局地図位置情報を前記記憶部から取得し、当該医療機関識別情報に関連付けられた医療機関地図位置情報を前記記憶部から取得し、前記薬局地図位置情報と前記医療機関地図位置情報を用いて、地図画像上に当該薬局の位置と当該薬局が受領した処方箋を発行した医療機関の位置を示した出力画像を出力する
情報処理システム。
【請求項２】
前記出力画像は、当該薬局の位置に当該薬局のアイコンが配置され、当該薬局が受領した処方箋を発行した医療機関の位置に当該医療機関のアイコンが配置された画像である
請求項１に記載の情報処理システム。
【請求項３】
前記出力画像において、前記医療機関のアイコンから、当該医療機関が発行した処方箋を受領した薬局のアイコンに向かって矢印が延びている
請求項２に記載の情報処理システム。
【請求項４】
前記処理部は、前記出力画像とともに、当該医療機関または薬局についての属性情報も出力する
請求項１から３のいずれか一項に記載の情報処理システム。
【請求項５】
前記記憶部には、対象とする薬局の薬局識別情報と、当該薬局の名称を示す薬局名情報とが関連付けられて記憶されており、
前記端末装置がユーザから薬局を指定する入力を受け付けた場合、前記処理部は、当該薬局を識別する薬局識別情報に関連付けられた薬局名情報を前記記憶部から取得し、当該薬局名情報を用いて、前記出力画像中に当該薬局の名称を含ませる
請求項１から４のいずれか一項に記載の情報処理システム。
【請求項６】
前記記憶部には、対象とする薬局の薬局識別情報と、当該薬局が所定期間中に受領した処方箋の合計枚数を示す応需処方箋枚数情報とが関連付けられて記憶されており、
前記端末装置がユーザから薬局を指定する入力を受け付けた場合、前記処理部は、当該薬局を識別する薬局識別情報に関連付けられた応需処方箋枚数情報を前記記憶部から取得し、当該応需処方箋枚数情報を用いて、前記出力画像中に、当該薬局が所定期間中に受領した処方箋の枚数を含ませる
請求項１から５のいずれか一項に記載の情報処理システム。
【請求項７】
前記端末装置がユーザから薬局を指定する入力を受け付けた場合、前記処理部は、前記記憶部において当該薬局を識別する薬局識別情報に関連付けられた医療機関識別情報を用いて、前記出力画像中に、当該薬局が受領した処方箋を何軒の医療機関が発行したかを示す医療機関数を含ませる
請求項１から６のいずれか一項に記載の情報処理システム。
【請求項８】
前記記憶部には、前記薬局識別情報と前記医療機関識別情報との組に対して、当該医療機関識別情報で特定される医療機関が発行し且つ当該薬局識別情報で特定される薬局が受領した処方箋枚数を示す処方箋枚数情報が関連付けられて記憶されており、更に医療機関の名称を示す医療機関名情報と当該医療機関を識別する前記医療機関識別情報とが関連付けられて記憶されており、
前記処理部は、前記記憶部において前記指定の薬局の薬局識別情報に対応する医療機関識別情報と処方箋枚数情報とを用いて、前記指定の薬局が受領した処方箋枚数の多い順に医療機関の名称と当該医療機関が発行し且つ当該指定の薬局が受領した処方箋枚数を含む情報を出力する
請求項１から７のいずれか一項に記載の情報処理システム。
【請求項９】
前記記憶部には、対象とする医療機関の医療機関識別情報と、当該医療機関の名称を示す医療機関名情報とが関連付けられて記憶されており、
前記端末装置がユーザから医療機関を指定する入力を受け付けた場合、前記処理部は、当該医療機関を識別する医療機関識別情報に関連付けられた医療機関名情報を前記記憶部から取得し、当該医療機関名情報を用いて、前記出力画像中に当該医療機関の名称を含ませる
請求項１から８のいずれか一項に記載の情報処理システム。
【請求項１０】
前記記憶部には、対象とする医療機関の医療機関識別情報と、当該医療機関が所定期間中に発行した処方箋の合計枚数を示す院外処方箋枚数情報とが関連付けられて記憶されており、
前記端末装置がユーザから医療機関を指定する入力を受け付けた場合、前記処理部は、当該医療機関を識別する医療機関識別情報に関連付けられた院外処方箋枚数情報を前記記憶部から取得し、当該院外処方箋枚数情報を用いて、前記出力画像中に、当該医療機関が所定期間中に発行した処方箋の枚数を含ませる
請求項１から９のいずれか一項に記載の情報処理システム。
【請求項１１】
前記端末装置がユーザから医療機関を指定する入力を受け付けた場合、前記処理部は、前記記憶部において当該医療機関を識別する医療機関識別情報に関連付けられた薬局識別情報を用いて、前記出力画像中に、当該医療機関が発行した処方箋を何軒の薬局が受領したかを示す薬局数を含ませる
請求項１から１０のいずれか一項に記載の情報処理システム。
【請求項１２】
前記記憶部には、前記薬局識別情報と前記医療機関識別情報との組に対して、当該医療機関識別情報で特定される医療機関が発行し且つ当該薬局識別情報で特定される薬局が受領した処方箋枚数を示す処方箋枚数情報が関連付けられて記憶されており、更に薬局の名称を示す薬局名情報と当該薬局を識別する前記薬局識別情報とが関連付けられて記憶されており、
前記処理部は、前記記憶部において前記指定の医療機関の医療機関識別情報に対応する薬局識別情報と処方箋枚数情報とを用いて、当該医療機関が発行した処方箋を受領した数が多い薬局から順に薬局の名称と当該薬局が受領した処方箋枚数を含む情報を出力する
請求項１から１１のいずれか一項に記載の情報処理システム。
【請求項１３】
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶装置を参照可能な情報処理装置であって、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶装置から取得するか、または前記指定の医療機関を識別する医療機関識別情報と関連付けられた薬局識別情報を前記記憶装置から取得し、当該薬局識別情報に関連付けられた薬局地図位置情報を前記記憶装置から取得し、当該医療機関識別情報に関連付けられた医療機関地図位置情報を前記記憶装置から取得し、前記薬局地図位置情報と前記医療機関地図位置情報を用いて、地図画像上に当該薬局の位置と当該薬局が受領した処方箋を発行した医療機関の位置を示した出力画像を出力する
情報処理装置。
【請求項１４】
端末装置に入力された薬局の指定または医療機関の指定を含む入力信号を受信する工程と、
前記指定の薬局を識別する薬局識別情報と関連付けられた医療機関識別情報を記憶部から取得するか、または前記指定の医療機関を識別する医療機関識別情報と関連付けられた薬局識別情報を前記記憶部から取得する工程と、
当該薬局識別情報に関連付けられた薬局地図位置情報を前記記憶部から取得する工程と、
当該医療機関識別情報に関連付けられた医療機関地図位置情報を前記記憶部から取得し、
前記薬局地図位置情報と前記医療機関地図位置情報を用いて、地図画像上に当該薬局の位置と当該薬局を受領した処方箋を発行した医療機関の位置を示した出力画像を出力する工程と、
を有し、
前記記憶部には、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている情報処理方法。
【請求項１５】
端末装置に入力された薬局の指定または医療機関の指定を含む入力信号を受信する通信部を備え、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶部を参照可能な情報処理装置を、
情報を処理する処理部として機能させるためのプログラムであって、
前記処理部は、前記指定の薬局を識別する薬局識別情報と関連付けられた医療機関識別情報を前記記憶部から取得するか、または前記指定の医療機関を識別する医療機関識別情報と関連付けられた薬局識別情報を前記記憶部から取得し、当該薬局識別情報に関連付けられた薬局地図位置情報を前記記憶部から取得し、当該医療機関識別情報に関連付けられた医療機関地図位置情報を前記記憶部から取得し、前記薬局地図位置情報と前記医療機関地図位置情報を用いて、地図画像上に当該薬局の位置と当該薬局を受領した処方箋を発行した医療機関の位置を示した出力画像を出力するプログラム。
【発明の詳細な説明】
【技術分野】
【０００１】
本発明は、情報処理システム、情報処理装置、情報処理方法及びプログラムに関する。
【背景技術】
【０００２】
医師への情報提供を主たる業務とする製薬企業のＭＲ(Medical Representative)の活動は、医薬品の売り上げを左右する。このため、これまでＭＲの活動を支援する種々のツールが開発されてきた。
【０００３】
例えば、特許文献１には、医薬品に対する医療従事者の理解度に合った的確な医薬品情報を提供することを目的としたＭＲ支援装置が開示されている。具体的には、医薬品に対する理解度のフェーズをＭＲがディテールを行う医師毎に記憶すると共に、このフェーズ毎にディテール時に用いる医療情報を記憶させる記憶部と、記憶部に記憶された医療情報のうち、ＭＲがディテールを行う医療従事者の現在の理解度のフェーズに応じた医療情報を特定する特定部と、特定した医療情報をＭＲ端末に表示させるための制御情報をＭＲ端末に配信する配信部と、を備えるＭＲ支援装置が開示されている。
【先行技術文献】
【特許文献】
【０００４】
【特許文献１】特開２０１５−１３８３００号公報
【発明の概要】
【発明が解決しようとする課題】
【０００５】
一方、主に出先での活動が多い製薬企業のＭＲが、医療機関及び薬局を訪問する際、処方箋を発行した医療機関と当該処方箋を受領した薬局の地理的な関係を把握していれば、当該医療機関と当該薬局を一度の外出で訪問可能となる。このため、ＭＲが、出先で処方箋を発行した医療機関と当該処方箋を受領した薬局との地理的な関係を容易に確認することができることが望まれる。
【０００６】
本発明は、上記問題に鑑みてなされたものであり、処方箋を発行した医療機関と当該処方箋を受領した薬局との地理的な関係の確認を容易化することを可能とする情報処理システム、情報処理装置、情報処理方法及びプログラムを提供することを目的とする。
【課題を解決するための手段】
【０００７】
本発明の一態様に係る情報処理システムは、
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶部と、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶部から取得するか、または前記指定の医療機関を識別する医療機関識別情報と関連付けられた薬局識別情報を前記記憶部から取得し、当該薬局識別情報に関連付けられた薬局地図位置情報を前記記憶部から取得し、当該医療機関識別情報に関連付けられた医療機関地図位置情報を前記記憶部から取得し、前記薬局地図位置情報と前記医療機関地図位置情報を用いて、地図画像上に当該薬局の位置と当該薬局が受領した処方箋を発行した医療機関の位置を示した出力画像を出力する。
【０００８】
本発明の一態様に係る情報処理システムは、上記の情報処理システムであって、
前記出力画像は、当該薬局の位置に当該薬局のアイコンが配置され、当該薬局が受領した処方箋を発行した医療機関の位置に当該医療機関のアイコンが配置された画像である。
【０００９】
本発明の一態様に係る情報処理システムは、上記いずれかの情報処理システムであって、
前記出力画像において、前記医療機関のアイコンから、当該医療機関が発行した処方箋を受領した薬局のアイコンに向かって矢印が延びている。
【００１０】
本発明の一態様に係る情報処理システムは、上記いずれかの情報処理システムであって、
前記処理部は、前記出力画像とともに、当該医療機関または薬局についての様々な属性情報（例えば薬局であれば後発医薬品調剤体制加算の区分を示す情報など）も出力する。
【００１１】
本発明の一態様に係る情報処理システムは、上記いずれかの情報処理システムであって、
前記記憶部には、対象とする薬局の薬局識別情報と、当該薬局の名称を示す薬局名情報とが関連付けられて記憶されており、
前記端末装置がユーザから薬局を指定する入力を受け付けた場合、前記処理部は、当該薬局を識別する薬局識別情報に関連付けられた薬局名情報を前記記憶部から取得し、当該薬局名情報を用いて、前記出力画像中に当該薬局の名称を含ませる。
【００１２】
本発明の一態様に係る情報処理システムは、上記いずれかの情報処理システムであって、
前記記憶部には、対象とする薬局の薬局識別情報と、当該薬局が所定期間中に受領した処方箋の合計枚数を示す応需処方箋枚数情報とが関連付けられて記憶されており、
前記端末装置がユーザから薬局を指定する入力を受け付けた場合、前記処理部は、当該薬局を識別する薬局識別情報に関連付けられた応需処方箋枚数情報を前記記憶部から取得し、当該応需処方箋枚数情報を用いて、前記出力画像中に、当該薬局が所定期間中に受領した処方箋の枚数を含ませる。
【００１３】
本発明の一態様に係る情報処理システムは、上記いずれかの情報処理システムであって、
前記端末装置がユーザから薬局を指定する入力を受け付けた場合、前記処理部は、前記記憶部において当該薬局を識別する薬局識別情報に関連付けられた医療機関識別情報を用いて、前記出力画像中に、当該薬局が受領した処方箋全体を何軒の医療機関が発行したかを示す医療機関数を含ませる。
【００１４】
本発明の一態様に係る情報処理システムは、上記いずれかの情報処理システムであって、
前記記憶部には、前記薬局識別情報と前記医療機関識別情報との組に対して、当該医療機関識別情報で特定される医療機関が発行し且つ当該薬局識別情報で特定される薬局が受領した処方箋枚数を示す処方箋枚数情報が関連付けられて記憶されており、更に医療機関の名称を示す医療機関名情報と当該医療機関を識別する前記医療機関識別情報とが関連付けられて記憶されており、
前記処理部は、前記記憶部において前記指定の薬局の薬局識別情報に対応する医療機関識別情報と処方箋枚数情報とを用いて、前記指定の薬局が受領した処方箋枚数の多い順に医療機関の名称と当該医療機関が発行し且つ当該指定の薬局が受領した処方箋枚数を含む情報を出力する。
【００１５】
本発明の一態様に係る情報処理システムは、上記いずれかの情報処理システムであって、
前記記憶部には、対象とする医療機関の医療機関識別情報と、当該医療機関の名称を示す医療機関名情報とが関連付けられて記憶されており、
前記端末装置がユーザから医療機関を指定する入力を受け付けた場合、前記処理部は、当該医療機関を識別する医療機関識別情報に関連付けられた医療機関名情報を前記記憶部から取得し、当該医療機関名情報を用いて、前記出力画像中に当該医療機関の名称を含ませる。
【００１６】
本発明の一態様に係る情報処理システムは、上記いずれかの情報処理システムであって、
前記記憶部には、対象とする医療機関の医療機関識別情報と、当該医療機関が所定期間中に発行した処方箋の合計枚数を示す院外処方箋枚数情報とが関連付けられて記憶されており、
前記端末装置がユーザから医療機関を指定する入力を受け付けた場合、前記処理部は、当該医療機関を識別する医療機関識別情報に関連付けられた院外処方箋枚数情報を前記記憶部から取得し、当該院外処方箋枚数情報を用いて、前記出力画像中に、当該医療機関が所定期間中に発行した処方箋の枚数を含ませる。
【００１７】
本発明の一態様に係る情報処理システムは、上記いずれかの情報処理システムであって、
前記端末装置がユーザから医療機関を指定する入力を受け付けた場合、前記処理部は、前記記憶部において当該医療機関を識別する医療機関識別情報に関連付けられた薬局識別情報を用いて、前記出力画像中に、当該医療機関が発行した処方箋全体を何軒の薬局が受領したかを示す薬局数を含ませる。
【００１８】
本発明の一態様に係る情報処理システムは、上記いずれかの情報処理システムであって、
前記記憶部には、前記薬局識別情報と前記医療機関識別情報との組に対して、当該医療機関識別情報で特定される医療機関が発行し且つ当該薬局識別情報で特定される薬局が受領した処方箋枚数を示す処方箋枚数情報が関連付けられて記憶されており、更に薬局の名称を示す薬局名情報と当該薬局を識別する前記薬局識別情報とが関連付けられて記憶されており、
前記処理部は、前記記憶部において前記指定の医療機関の医療機関識別情報に対応する薬局識別情報と処方箋枚数情報とを用いて、当該医療機関が発行した処方箋を受領した数が多い薬局から順に薬局の名称と当該薬局が受領した処方箋枚数を含む情報を出力する。
【００１９】
本発明の一態様に係る情報処理装置は、
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶装置を参照可能な情報処理装置であって、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶装置から取得するか、または前記指定の医療機関を識別する医療機関識別情報と関連付けられた薬局識別情報を前記記憶装置から取得し、当該薬局識別情報に関連付けられた薬局地図位置情報を前記記憶装置から取得し、当該医療機関識別情報に関連付けられた医療機関地図位置情報を前記記憶装置から取得し、前記薬局地図位置情報と前記医療機関地図位置情報を用いて、地図画像上に当該薬局の位置と当該薬局が受領した処方箋を発行した医療機関の位置を示した出力画像を出力する情報処理装置である。
【００２０】
本発明の一態様に係る情報処理方法は、
端末装置に入力された薬局の指定または医療機関の指定を含む入力信号を受信する工程と、
前記指定の薬局を識別する薬局識別情報と関連付けられた医療機関識別情報を記憶部から取得するか、または前記指定の医療機関を識別する医療機関識別情報と関連付けられた薬局識別情報を前記記憶部から取得する工程と、
当該薬局識別情報に関連付けられた薬局地図位置情報を前記記憶部から取得する工程と、
当該医療機関識別情報に関連付けられた医療機関地図位置情報を前記記憶部から取得し、
前記薬局地図位置情報と前記医療機関地図位置情報を用いて、地図画像上に当該薬局の位置と当該薬局が受領した処方箋を発行した医療機関の位置を示した出力画像を出力する工程と、
を有し、
前記記憶部には、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている。
【００２１】
本発明の一態様に係るプログラムは、
端末装置に入力された薬局の指定または医療機関の指定を含む入力信号を受信する通信部を備え、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶部を参照可能な情報処理装置を、
情報を処理する処理部として機能させるためのプログラムであって、
前記処理部は、前記指定の薬局を識別する薬局識別情報と関連付けられた医療機関識別情報を前記記憶部から取得するか、または前記指定の医療機関を識別する医療機関識別情報と関連付けられた薬局識別情報を前記記憶部から取得し、当該薬局識別情報に関連付けられた薬局地図位置情報を前記記憶部から取得し、当該医療機関識別情報に関連付けられた医療機関地図位置情報を前記記憶部から取得し、前記薬局地図位置情報と前記医療機関地図位置情報を用いて、地図画像上に当該薬局の位置と当該薬局が受領した処方箋を発行した医療機関の位置を示した出力画像を出力するプログラムである。
【発明の効果】
【００２２】
本発明によれば、地図画像上に、処方箋を発行した医療機関の位置と当該処方箋を受領した薬局の位置が示されるので、当該処方箋を発行した医療機関と当該処方箋を受領した薬局との地理的な関係を容易に確認することができる。
【図面の簡単な説明】
【００２３】
【図１】図１は、本実施形態に係る情報処理システムＳの構成を示す概略ブロック図である。
【図２】図２は、本実施形態に係る情報処理装置１の構成を示す概略ブロック図である。
【図３】図３は、記憶部１１に記憶されている住所情報マスタテーブルの一例である。
【図４】図４は、記憶部１１に記憶されている薬局マスタテーブル、医療機関マスタテーブルの一例である。
【図５】図５は、記憶部１１に記憶されている薬局処方箋枚数テーブルＴ１の一例である。
【図６】図６は、記憶部１１に記憶されている医療機関の構成比率テーブルＴ２の一例である。
【図７】図７は、記憶部１１に記憶されている薬局の構成比率テーブルＴ３の一例である。
【図８】図８は、記憶部１１に記憶されている薬局テーブルＴ４、医療機関テーブルＴ５の一例である。
【図９】図９は、本実施形態に係る端末装置２の構成を示す概略ブロック図である。
【図１０】図１０は、薬局の検索結果の画面イメージの一例である。
【図１１】図１１は、図１０の画面においてユーザによりＡ薬局が選択された場合の画面イメージの一例である。
【図１２】図１２は、図１１の画面においてユーザにより構成比タブが選択された場合の画面イメージの一例である。
【図１３】図１３は、図１０の画面において、ユーザが端末装置２を操作してＡ薬局を選択した場合における情報処理装置１の処理の流れの概要を示すフローチャートである。
【図１４】図１４は、図１１の画像Ｇ１においてｂ病院のアイコンが選択された場合の画面イメージの一例である。
【図１５】図１５は、図１４の画像Ｇ２において吹き出し中の「詳細」のリンクＬ１がユーザにより選択された場合の画面イメージの一例である。
【図１６】図１６は、図１５において構成比タブがユーザにより選択された場合の画面イメージの一例である。
【図１７】図１７は、図１４の画面において、ユーザが端末装置２を操作して「詳細」のリンクＬ１を選択した場合における情報処理装置１の処理の流れの概要を示すフローチャートである。
【図１８】図１８は、医療機関の検索結果の画面イメージの一例である。
【発明を実施するための形態】
【００２４】
以下、各実施形態について、図面を参照しながら説明する。図１は、本実施形態に係る情報処理システムＳの構成を示す概略ブロック図である。図１に示すように、情報処理システムＳは、情報処理装置１と、通信回線網３を介して情報処理装置１と接続された端末装置２−１、…、２−Ｎ（Ｎは正の整数）と、通信回線網３を介して情報処理装置１と接続された入力用端末装置４−１、…、４−Ｍ（Ｍは正の整数）とを備える。情報処理装置１は例えばサーバである。端末装置２−１、…、２−Ｎは、例えばＭＲや製薬企業の人が情報処理装置１により提供されるＷＥＢページにアクセスするための端末である。端末装置２−１、…、２−Ｎは、例えば、携帯電話、タブレット端末、またはノートパソコンなどである。端末装置２−１、…、２−Ｎを総称して端末装置２という。入力用端末装置４−１、…、４−Ｍは、調査会社の調査員が、処方箋枚数や医療機関と薬局とのつながりを入力するための端末である。入力用端末装置４−１、…、４−Ｍは、例えば、携帯電話、タブレット端末、ノートパソコン、またはデスクトップパソコンなどである。入力用端末装置４−１、…、４−Ｍを総称して入力用端末装置４という。
【００２５】
図２は、本実施形態に係る情報処理装置１の構成を示す概略ブロック図である。図２に示すように、情報処理装置１は、記憶部１１、ＲＡＭ（Random Access Memory）１２、入力部１３、通信部１４、及びＣＰＵ（Central Processing Unit）１５を備える。各部は、バスを介して接続されている。
【００２６】
記憶部１１には、ＣＰＵ１５が読み出して実行するためのプログラムが記憶されている。また、記憶部１１には、図３に示す都道府県マスタテーブルＭ１、市区町村マスタテーブルＭ２、大字通称マスタテーブルＭ３、字丁目マスタテーブルＭ４が記憶されている。更に、記憶部１１には、図４に示す薬局マスタテーブルＭ５、医療機関マスタテーブルＭ６が記憶されている。更に、記憶部１１には、図５に示す薬局処方箋枚数テーブルＴ１、図６に示す医療機関の構成比率テーブルＴ２が記憶されている。更に、記憶部１１には、図７に示す薬局の構成比率テーブルＴ３が記憶されている。更に、記憶部１１には、図８に示す薬局テーブルＴ４、医療機関テーブルＴ５が記憶されている。
【００２７】
ＲＡＭ１２は、一時的に情報を保持する。
入力部１３は、情報処理装置１を管理する管理者からの入力を受け付ける。
通信部１４は、通信回線網３を介して入力端末装置４−１、…、４−Ｍや端末装置２−１、…、２−Ｎと通信する。通信部１４は、例えば、出力時においては、端末装置２−１、…、２−Ｎに入力された薬局の指定または医療機関の指定を含む入力信号を受信する。
ＣＰＵ１５は、記憶部１１からプログラムを読み出して実行することにより、処理部１５１として機能する。処理部１５１の処理の詳細は後述する。
【００２８】
図３は、記憶部１１に記憶されている住所情報マスタテーブルの一例である。住所情報マスタテーブルは、住所に関連する情報を格納するマスタテーブルであり、住所情報マスタテーブルには、都道府県マスタテーブルＭ１、市区町村マスタテーブルＭ２、大字通称マスタテーブルＭ３、及び字丁目マスタテーブルＭ４が含まれる。図３に示すように、都道府県マスタテーブルＭ１では、都道府県を識別する情報である都道府県コードと、都道府県名との組がレコードとして格納されている。図３に示すように、市区町村マスタテーブルＭ２では、都道府県コードと、市区町村を識別する情報である市区町村コードと、市区町村名との組がレコードとして格納されている。図３に示すように、大字通称マスタテーブルＭ３では、都道府県コード、市区町村コード、大字通称を識別する情報である大字通称コードと、大字通称名との組がレコードとして格納されている。図３に示すように、字丁目マスタテーブルＭ４では、都道府県コード、市区町村コード、字丁目を識別する情報である字丁目コードと、字丁目名との組がレコードとして格納されている。
【００２９】
図４は、記憶部１１に記憶されている薬局マスタテーブル、医療機関マスタテーブルの一例である。図４に示すように、薬局マスタテーブルＭ５では、それぞれの薬局について、当該薬局を識別する情報である薬局コード、当該薬局の薬局名、当該薬局の都道府県コード、当該薬局の市区町村コード、当該薬局の大字通称コード、当該薬局の字丁目コード、当該薬局の郵便番号、及び当該薬局の住所の組のレコードが格納されている。ここで、薬局コードは、薬局を識別する薬局識別情報の一例である。この図４の薬局マスタテーブルＭ５に示すように、記憶部１１には、対象とする薬局の薬局識別情報と、当該薬局の名称を示す薬局名情報とが関連付けられて記憶されている。
【００３０】
図４に示すように、医療機関マスタテーブルＭ６では、それぞれの医療機関について、当該医療機関を識別する情報である医療機関コード、当該医療機関の医療機関名、当該医療機関の都道府県コード、当該医療機関の市区町村コード、当該医療機関の大字通称コード、当該医療機関の字丁目コード、当該医療機関の住所、及び当該医療機関の郵便番号の組のレコードが格納されている。ここで、医療機関コードは、医療機関を識別する医療機関識別情報の一例である。この図４の医療機関マスタテーブルＭ６に示すように、記憶部１１には、対象とする医療機関の医療機関識別情報と、当該医療機関の名称を示す医療機関名情報とが関連付けられて記憶されている。
【００３１】
図５は、記憶部１１に記憶されている薬局処方箋枚数テーブルＴ１の一例である。薬局処方箋枚数テーブルＴ１は、薬局毎に、当該薬局が所定期間（例えば、１ヶ月）に受領した処方箋の数の合計を管理するテーブルである。図５に示すように、薬局処方箋枚数テーブルＴ１は、それぞれの薬局について、当該薬局の薬局コード、当該薬局の都道府県コード、当該薬局の薬局グループ名、当該薬局の法人名、当該薬局の電話番号、当該薬局のＦＡＸ番号、当該薬局が所定期間（例えば、１ヶ月）に購入した医薬品の金額である医薬品購入金額、当該薬局が所定期間（例えば、１ヶ月）に受領した処方箋の数の合計である応需処方箋枚数の組のレコードが格納されている。この図５の薬局処方箋枚数テーブルＴ１に示すように、記憶部１１には、対象とする薬局の薬局識別情報と、当該薬局が所定期間中に受領した処方箋の合計枚数を示す応需処方箋枚数情報とが関連付けられて記憶されている。
【００３２】
図６は、記憶部１１に記憶されている医療機関の構成比率テーブルＴ２の一例である。医療機関の構成比率テーブルＴ２は、薬局それぞれについて、当該薬局が受領した処方箋を発行した医療機関の構成比率を管理するテーブルである。図６に示すように、当該レコードについて調査した年月、薬局コード、医療機関コード、当該医療機関コードの医療機関から当該薬局コードの薬局が受領した所定期間（例えば、１ヶ月）の処方箋の数の合計である処方箋枚数、構成比率との組のレコードが格納されている。
【００３３】
次にレコードの更新方法について説明する。入力用端末装置４を操作する調査員によって、ある薬局における医療機関の処方箋構成比率が入力された場合、例えば、処理部１５１は、薬局処方箋枚数テーブルＴ１から、当該薬局に対応する応需処方箋枚数を読み出す。そして、処理部１５１は、応需処方箋枚数に構成比率（％）を乗じることによって、処方箋枚数を算出し、算出した処方箋枚数で医療機関の構成比率テーブルＴ２の対応する処方箋枚数を更新する。
例えば、F00000001の薬局コードの薬局について、H00000001の医療機関コードの医療機関の構成比率が５０％と入力された場合、処理部１５１は、薬局処方箋枚数テーブルＴ１から、F00000001の薬局コードに対応する応需処方箋枚数である１００００を読み出す。そして、処理部１５１は、１００００に５０％（＝５０／１００）を乗じることによって、処方箋枚数として５０００を算出する。そして、処理部１５１は、医療機関の構成比率テーブルＴ２の薬局コードがF00000001で医療機関コードがH00000001のレコードの処方箋枚数を５０００に更新する。
【００３４】
図７は、記憶部１１に記憶されている薬局の構成比率テーブルＴ３の一例である。薬局の構成比率テーブルＴ３は、医療機関それぞれについて、当該医療機関の発行した処方箋が持ち込まれた薬局の構成比率を管理するテーブルである。図７に示すように、薬局の構成比率テーブルＴ３は、医療機関それぞれについて、当該医療機関の医療機関コード、当該医療機関が発行した処方箋を受領した薬局の薬局コード、当該医療機関が発行し当該薬局が受領した所定期間（例えば、１ヶ月）の処方箋の数の合計である処方箋枚数、構成比率の組のレコードが格納されている。
【００３５】
次に薬局の構成比率テーブルＴ３のレコードの更新方法の一例について説明する。例えば、処理部１５１は、医療機関の構成比率テーブルＴ２において、更新の対象となる医療機関コードを含むレコードから薬局コードと構成比率を読み出す。次に処理部１５１は、薬局処方箋枚数テーブルＴ１において、読み出した薬局コードを含むレコードから応需処方箋枚数を読み出す。そして、処理部１５１は、読み出した薬局コード毎に、読み出した構成比率テーブルＴ２の構成比率と対応する薬局処方箋枚数テーブルＴ１の応需処方箋枚数とを乗じて、所定期間において当該医療機関が発行し且つ当該薬局が受領した処方箋枚数を算出する。そして、処理部１５１は、薬局コードと算出された処方箋枚数の組を用いて、薬局の構成比率テーブルＴ３を更新する。
【００３６】
なお、薬局の構成比率テーブルＴ３の処方箋枚数は、以下の処理で更新されてもよい。すなわち処理部１５１は、医療機関の構成比率テーブルＴ２において、更新の対象となる医療機関コードを含むレコードから薬局コードと処方箋枚数の組を読み出し、読み出した薬局コードと処方箋枚数の組を用いて、薬局の構成比率テーブルＴ３を更新してもよい。
【００３７】
具体的には例えば、更新の対象となる医療機関コードH00000001を含むレコードは三つあるので、処理部１５１は、医療機関の構成比率テーブルＴ２において、この三つのレコードから、薬局コードと処方箋枚数の組として、F00000001,5000の組、F00000002,1500の組、F00000003,3500の組を読み出す。処理部１５１は、図７に示す薬局の構成比率テーブルＴ３のように、H00000001で且つF00000001のレコードの処方箋枚数を５０００に更新し、H00000001で且つF00000002のレコードの処方箋枚数を１５００に更新し、
H00000001で且つF00000003のレコードの処方箋枚数を３５００に更新する。
【００３８】
続いて薬局の構成比率テーブルＴ３の構成比率の更新方法の一例について説明する。上述した処方箋枚数の更新により図７に示すように、所定期間において医療機関コードがH00000001の医療機関が発行した処方箋枚数の合計は、１００００（=5000+1500+3500）であることが分かる。よって、例えば、処理部１５１は、図７に示す薬局の構成比率テーブルＴ３のように、H00000001で且つF00000001のレコードの構成比率を５０％（=5000/10000×100）に更新し、H00000001で且つF00000002のレコードの構成比率を１５％（=1500/10000×100）に更新し、H00000001で且つF00000003のレコードの構成比率を３５％（=3500/10000×100）に更新する。
【００３９】
そして、処理部１５１は、構成比率を更新する。ここでは、医療機関コードH00000001の医療機関が発行した処方箋を受領した薬局のうちF00000001の薬局コードの薬局が受領した割合である構成比率は、５０％（=5000/10000×100）である。医療機関コードH00000001の医療機関が発行した処方箋を受領した薬局のうちF00000002の薬局コードの薬局が受領した割合である構成比率は、１５％（=1500/10000×100）である。医療機関コードH00000001の医療機関が発行した処方箋を受領した薬局のうちF00000003の薬局コードの薬局が受領した割合である構成比率は、３５％（=3500/10000×100）である。
【００４０】
図８は、記憶部１１に記憶されている薬局テーブルＴ４、医療機関テーブルＴ５の一例である。薬局テーブルＴ４は、薬局の地図画像上の位置を示す薬局地図位置情報などを管理するテーブルである。図８に示すように、薬局テーブルＴ４において、薬局それぞれについて、当該薬局の薬局コード、当該薬局の薬局地図位置情報、当該薬局が所定期間のうちに受領した処方箋枚数、当該薬局が所定期間中に受領した処方箋全体はいくつの医療機関が発行したかを示す発行元数及びその他当該薬局の属性情報（例えば後発医薬品調剤体制加算の区分を識別する後発医薬品調剤体制加算コードなど）の組のレコードが格納されている。
【００４１】
ここで、後発医薬品調剤体制加算の区分には、後発医薬品調剤体制加算１と後発医薬品調剤体制加算２がある。後発医薬品調剤体制加算コードは、一例として０、１または２の値が取り得る。後発医薬品調剤体制加算コードが０の場合、当該薬局において調剤した後発医薬品のある先発医薬品及び後発医薬品を合算した規格単位数量に占める後発医薬品の規格単位数量の割合が５５％未満であるという施設である。後発医薬品調剤体制加算コードが１の場合、「後発医薬品調剤体制加算１」の区分を表す。ここで「後発医薬品調剤体制加算１」は、当該薬局において調剤した後発医薬品のある先発医薬品及び後発医薬品を合算した規格単位数量に占める後発医薬品の規格単位数量の割合が５５％以上であるという施設基準を満たす薬局に付与される。後発医薬品調剤体制加算コードが２の場合、「後発医薬品調剤体制加算２」の区分を表す。ここで「後発医薬品調剤体制加算２」は、当該薬局において調剤した後発医薬品のある先発医薬品及び後発医薬品を合算した規格単位数量に占める後発医薬品の規格単位数量の割合が６５％以上であるという施設基準を満たす薬局に付与される。なお、後発医薬品調剤体制加算などの政省令で決められている施設基準等については根拠条文変更時に管理者により最新版に更新される。この後発医薬品調剤体制加算コードは、薬局の属性を表す属性情報の一例である。このように、記憶部１１には、薬局識別情報と属性情報とが関連付けられて記憶されている。また、図８の薬局テーブルＴ４に示したように、対象とする薬局の薬局識別情報と、当該薬局の地図画像上の位置を示す薬局地図位置情報とが関連付けられて記憶されている。
【００４２】
医療機関テーブルＴ５は、医療機関の地図画像上の位置を示す医療機関地図位置情報などを管理するテーブルである。図８に示すように、医療機関テーブルＴ５において、医療機関それぞれについて、当該医療機関の医療機関コード、当該医療機関の医療機関地図位置情報、当該医療機関が所定期間中に発行した処方箋の合計枚数を示す院外処方箋枚数、当該医療機関が発行した処方箋を受領した薬局の数を示す処方箋受領先数の組のレコードが格納されている。この図８の医療機関テーブルＴ５に示すように、対象とする医療機関の医療機関識別情報と、当該医療機関の地図画像上の位置を示す医療機関地図位置情報とが関連付けられて記憶されている。また、図８の医療機関テーブルＴ５に示すように、記憶部１１には、対象とする医療機関の医療機関識別情報と、当該医療機関が所定期間中に発行した処方箋の合計枚数を示す院外処方箋枚数情報とが関連付けられて記憶されている。
【００４３】
以上のことから、図６の医療機関の構成比率テーブルＴ２、図７の薬局の構成比率テーブルＴ３に示したように、記憶部１１には、医療機関を識別する医療機関識別情報と、当該医療機関が発行した処方箋を受領した薬局を識別する薬局識別情報とが関連付けられて記憶されている。
【００４４】
また、図６の医療機関の構成比率テーブルＴ２、図７の薬局の構成比率テーブルＴ３に示すように、記憶部１１には、薬局識別情報と医療機関識別情報との組に対して、当該医療機関識別情報で特定される医療機関が発行し且つ当該薬局識別情報で特定される薬局が受領した処方箋枚数を示す処方箋枚数情報が関連付けられて記憶されている。
【００４５】
続いて、端末装置２の構成について説明する。図９は、本実施形態に係る端末装置２の構成を示す概略ブロック図である。図９に示すように、端末装置２は、記憶部２１、ＲＡＭ２２、入力部２３、通信部２４、ＣＰＵ２５、及び表示部２６を備える。各部はバスを介して接続されている。
【００４６】
記憶部２１には、ＣＰＵ２５が読み出して実行するためのプログラムが記憶されている。
ＲＡＭ２２は、一時的に情報を記憶する。
入力部２３は、端末装置２を使用するユーザからの入力を受け付ける。例えば、入力部２３は、ユーザによる薬局の指定または医療機関の指定を受け付ける。
通信部２４は、情報処理装置１と通信回線網３を介して通信する。この通信は、有線であっても無線であってもよい。
ＣＰＵ２５は、記憶部２１からプログラムを読み出して実行する。
表示部２６は、ＣＰＵ２５の指令に従って表示する。
【００４７】
続いて、以上の構成を有する情報処理装置１の動作について、図１０〜１２の画面イメージを参照しつつ図１３を用いて説明する。図１０は、薬局の検索結果の画面イメージの一例である。図１０の画面は、東京都新宿区の薬局を、所定期間内に受領した処方箋枚数の多い順に検索した結果を示す画面である。
【００４８】
図１１は、図１０の画面においてユーザによりＡ薬局が選択された場合の画面イメージの一例である。図１１に示すように、出力画像Ｇ１は、Ａ薬局の位置にＡ薬局のアイコンＩＡが配置され、Ａ薬局が受領した処方箋を発行した医療機関の位置に当該医療機関のアイコンが配置された画像である。これにより、Ａ薬局の位置が分かるだけでなく、Ａ薬局が受領した処方箋を発行した医療機関の位置も分かる。
また、出力画像Ｇ１において、医療機関のアイコンから、当該医療機関が発行した処方箋を受領したＡ薬局のアイコンＩＡに向かって矢印が延びている。これにより、医療機関から薬局までの処方箋の流れを視覚的に即座に認識することができる。
【００４９】
また、出力画像Ｇ１において、Ａ薬局のアイコンＩＡの近くに吹き出しＰ１が表示され、吹き出しＰ１内には、Ａ薬局の名称、電話番号が表示され、Ａ薬局が所定期間に受領した処方箋の合計枚数が処方箋枚数として表示されている。また、吹き出しＰ１内には、当該薬局が受領した処方箋全体は、何軒の医療機関が処方したものであるかを示す医療機関数が表示されている。これらの情報は、処理部１５１が記憶部１１を参照することによって取得される。
【００５０】
出力画像Ｇ１の吹き出しＰ１を表示する際には、処理部１５１は以下の処理を行う。例えば、端末装置２がユーザから薬局を指定する入力を受け付けた場合、処理部１５１は、当該薬局を識別する薬局識別情報に関連付けられた薬局名情報を記憶部１１から取得し、当該薬局名情報を用いて、出力画像中に当該薬局の名称を含ませる。
また例えば、端末装置２がユーザから薬局を指定する入力を受け付けた場合、処理部１５１は、当該薬局を識別する薬局識別情報に関連付けられた応需処方箋枚数情報を記憶部１１から取得し、当該応需処方箋枚数情報を用いて、出力画像中に、当該薬局が所定期間中に受領した処方箋の枚数を含ませる。
また例えば、端末装置２がユーザから薬局を指定する入力を受け付けた場合、処理部１５１は、記憶部１１において当該薬局を識別する薬局識別情報に関連付けられた医療機関識別情報を用いて、出力画像中に、当該薬局が受領した処方箋を何軒の医療機関が処方したかを示す医療機関数を含ませる。
【００５１】
また、図１１のグラフＳ１に示すように、Ａ薬局が受領した処方箋枚数が多い順に医療機関が並んでおり、これらの医療機関それぞれについて、当該医療機関が発行し且つＡ薬局が受領した処方箋枚数が棒グラフで示されている。
【００５２】
図１２は、図１１の画面においてユーザにより構成比タブが選択された場合の画面イメージの一例である。図１１のグラフＳ２において、Ａ薬局が受領した処方箋に占める、各医療機関が発行した処方箋の割合が円グラフで示されている。
【００５３】
なお、属性情報タブが選択された場合、Ａ薬局の属性情報が表示される。属性情報には、例えば後発医薬品調剤体制加算１または後発医薬品調剤体制加算２が含まれる。この属性情報の表示の際には、処理部１５１は、出力画像とともに、薬局Ａについて後発医薬品調剤体制加算の区分などを示す情報も出力する処理を行う。これにより、製薬企業のMRは後発医薬品調剤体制加算１または後発医薬品調剤体制加算２を確認すれば、当該薬局がどれだけ後発品に注力しているかが分かり、当該薬局への訪問の重要度合いを決める材料とすることができる。
【００５４】
図１３は、図１０の画面において、ユーザが端末装置２を操作してＡ薬局を選択した場合における情報処理装置１の処理の流れの概要を示すフローチャートである。
（ステップＳ１０１）まず通信部１４は、端末装置２に入力された薬局の指定（ここでは一例としてＡ薬局の指定）を含む入力信号を受信する。
【００５５】
（ステップＳ１０２）次に、処理部１５１は、当該指定の薬局を識別する薬局識別情報と関連付けられた医療機関識別情報を記憶部１１から取得する。
【００５６】
（ステップＳ１０３）次に、処理部１５１は、当該薬局識別情報に関連付けられた薬局地図位置情報を記憶部１１から取得する。
【００５７】
（ステップＳ１０４）次に、処理部１５１は、当該医療機関識別情報に関連付けられた医療機関地図位置情報として記憶部１１から取得する。
【００５８】
（ステップＳ１０５）次に、処理部１５１は、薬局地図位置情報と医療機関地図位置情報を用いて、地図画像上に当該薬局の位置と当該薬局が受領した処方箋を発行した医療機関の位置を示した出力画像（図１１の出力画像Ｇ１参照）を生成する。
【００５９】
（ステップＳ１０６）次に、処理部１５１は、記憶部１１の医療機関の構成比率テーブルＴ２において指定の薬局（ここではＡ薬局）の薬局識別情報に対応する医療機関識別情報と処方箋枚数とを用いて、指定の薬局（ここではＡ薬局）が受領した処方箋枚数の多い順に医療機関の名称と当該医療機関が発行し且つ当該指定の薬局が受領した処方箋枚数を含む情報を出力する。その際、処理部１５１は一例として、取得した医療機関の名称と処方箋枚数を用いて、処方箋枚数の多い順に処方箋枚数を棒グラフで表したグラフＳ１を出力する。これにより、図１１のグラフＳ１が得られる。
【００６０】
（ステップＳ１０７）次に、通信部１４は、出力画像、棒グラフを含む出力信号を端末装置２へ送信する。端末装置２はこの出力信号を受信し、この出力信号を用いて図１１の画面を表示する。
【００６１】
続いて、情報処理装置１の動作について、図１４〜１６の画面イメージを参照しつつ図１７を用いて説明する。図１４は、図１１の画像Ｇ１においてｂ病院のアイコンＩｂが選択された場合の画面イメージの一例である。図１１の画像Ｇ１においてｂ病院のアイコンＩｂが選択された場合、図１４の画像Ｇ２のように、ｂ病院のアイコンＩｂの近くに吹き出しＰ２が表示される。吹き出しＰ２内には、ｂ病院の名称、電話番号が表示され、ｂ病院が所定期間に発行した処方箋の合計枚数が処方箋枚数として表示されている。また、吹き出しＰ２内には、ｂ病院が発行した処方箋全体は、何軒の薬局が受領したかを示す薬局数が表示されている。
【００６２】
図１４の出力画像Ｇ２の吹き出しＰ２を表示する際には、処理部１５１は以下の処理を行う。
端末装置２がユーザから医療機関を指定する入力を受け付けた場合、処理部１５１は、当該医療機関を識別する医療機関識別情報に関連付けられた医療機関名情報を記憶部１１から取得し、当該医療機関名情報を用いて、出力画像中に当該医療機関の名称を含ませる。
また、端末装置２がユーザから医療機関を指定する入力を受け付けた場合、処理部１５１は、当該医療機関を識別する医療機関識別情報に関連付けられた院外処方箋枚数情報を記憶部１１から取得し、当該院外処方箋枚数情報を用いて、出力画像中に、当該医療機関から所定期間中に発行された処方箋の枚数を含ませる。
また、端末装置２がユーザから医療機関を指定する入力を受け付けた場合、処理部１５１は、記憶部１１において当該医療機関を識別する医療機関識別情報に関連付けられた薬局識別情報を用いて、出力画像中に、当該医療機関が発行した処方箋を何軒の薬局が受領したかを示す薬局数を含ませる。
【００６３】
図１５は、図１４の画像Ｇ２において吹き出しＰ２中の「詳細」のリンクＬ１がユーザにより選択された場合の画面イメージの一例である。図１５の出力画像Ｇ３において、ｂ病院のアイコンＩｂと、ｂ病院が発行した処方箋を受領した薬局のアイコンが表示されている。これにより、ｂ病院の位置が分かるだけでなく、ｂ病院が発行した処方箋を受領した薬局の位置も分かる。また、図１５の出力画像Ｇ３において、ｂ病院のアイコンＩｂから、ｂ病院が発行した処方箋を受領した薬局のアイコンに向かって矢印が延びている。これにより、医療機関から薬局までの処方箋の流れを視覚的に即座に認識することができる。
【００６４】
また、図１５のグラフＳ３に示すように、ｂ病院が発行した処方箋を受領した枚数が多い順に薬局が並んでおり、これらの薬局それぞれについて、ｂ病院が発行し且つ当該薬局が受領した処方箋枚数が棒グラフで示されている。
【００６５】
図１６は、図１５において構成比タブがユーザにより選択された場合の画面イメージの一例である。図１６のグラフＳ４に示すように、ｂ病院が発行した処方箋に占める、各薬局が受領した処方箋枚数の割合が円グラフで示されている。なお、属性情報タブが選択された場合、ｂ病院の属性情報が表示される。この場合、処理部１５１は、出力画像とともに、記憶部１１に記憶されている医療機関識別情報（ここではｂ病院）に関連付けられた属性情報を出力する処理を行う。
【００６６】
図１７は、図１４の画面において、ユーザが端末装置２を操作して「詳細」のリンクＬ１を選択した場合における情報処理装置１の処理の流れの概要を示すフローチャートである。
（ステップＳ２０１）まず通信部１４は、端末装置２に入力された医療機関の指定を含む入力信号を受信する。本実施形態では、医療機関の指定は一例として、ｂ病院についての吹き出しＰ２内の「詳細」リンクＬ１の選択である。
【００６７】
（ステップＳ２０２）次に、処理部１５１は、指定の医療機関を識別する医療機関識別情報と関連付けられた薬局識別情報を記憶部１１から取得する。
【００６８】
（ステップＳ２０３）次に、処理部１５１は、当該薬局識別情報に関連付けられた薬局地図位置情報を記憶部１１から取得する。
【００６９】
（ステップＳ２０４）次に、処理部１５１は、当該医療機関識別情報に関連付けられた医療機関地図位置情報を記憶部１１から取得する。
【００７０】
（ステップＳ２０５）次に、処理部１５１は、地図画像上に当該薬局の位置と当該薬局が受領した処方箋を発行した医療機関の位置を示した出力画像（図１５の出力画像Ｇ３参照）を生成する。
【００７１】
（ステップＳ２０６）次に、処理部１５１は、記憶部１１の薬局の構成比率テーブルＴ３において指定の医療機関（ここではｂ病院）の医療機関識別情報に対応する医療機関識別情報と処方箋枚数とを用いて、指定の医療機関（ここではｂ病院）が発行した処方箋を受領した数が多い薬局から順に薬局の名称と当該薬局が受領した処方箋枚数を含む情報を取得する。その際、処理部１５１は一例として、取得した薬局の名称と処方箋枚数を用いて、処方箋の受領枚数が多い順に処方箋枚数を棒グラフで表したグラフＳ３を出力する。これにより、図１５のグラフＳ３が得られる。
【００７２】
（ステップＳ２０７）次に、通信部１４は、出力画像、棒グラフを含む出力信号を端末装置２へ送信する。端末装置２はこの出力信号を受信し、この出力信号を用いて図１５の画面を表示する。
【００７３】
以上説明したように、情報処理装置１は、情報が記憶されている記憶部１１と、端末装置２に入力された薬局の指定または医療機関の指定を含む入力信号を受信する通信部１４と、情報を処理する処理部１５１とを備える。記憶部１１には医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている。処理部１５１は、指定の薬局を識別する薬局識別情報と関連付けられた医療機関識別情報を記憶部１１から取得するか、または指定の医療機関を識別する医療機関識別情報と関連付けられた薬局識別情報を記憶部１１から取得する。そして、処理部１５１は、当該薬局識別情報に関連付けられた薬局地図位置情報を記憶部１１から取得し、当該医療機関識別情報に関連付けられた医療機関地図位置情報を記憶部１１から取得する。そして、処理部１５１は、薬局地図位置情報と医療機関地図位置情報を用いて、地図画像上に当該薬局の位置と当該薬局が受領した処方箋を発行した医療機関の位置を示した出力画像を出力する。
【００７４】
これにより、地図画像上に処方箋を発行した医療機関の位置と当該処方箋を受領した薬局の位置が示されるので、当該処方箋を発行した医療機関と当該処方箋を受領した薬局との地理的な関係を容易に確認することができる。特に、製薬企業のＭＲが出先において容易に確認することができる。
【００７５】
なお、図１５の画面を表示する際に、図１４の画面から遷移したが、これに限らず、図１８の病院の検索結果画面において、ｂ病院が選択されることにより図１５の画面に遷移してもよい。図１８は、医療機関の検索結果の画面イメージの一例である。図１８の画面は、東京都新宿区の医療機関を、所定期間内に発行された処方箋枚数の多い順に検索した結果を示す画面である。
【００７６】
なお、複数の装置を備える情報処理システムが、本実施形態の情報処理装置１の各処理を、それらの複数の装置で分散して処理してもよい。また、本実施形態の情報処理装置１の処理の一部または全部を、端末装置２−１、…、２−Ｎのうちの一つまたは複数が実行してもよい。また、本実施形態では、情報処理装置１が記憶部１１を備えるとしたが、記憶部１１は情報処理装置１に外付けで接続されていてもよいし、インターネットを介して接続されていてもよく、記憶部１１は情報処理装置１が参照可能な記憶装置であればよい。
また、各実施形態の画像処理装置の各処理を実行するためのプログラムをコンピュータ読み取り可能な記録媒体に記録して、当該記録媒体に記録されたプログラムをコンピュータシステムに読み込ませ、プロセッサが実行することにより、各実施形態の画像処理装置に係る上述した種々の処理を行ってもよい。
【００７７】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００７８】
Ｓ  情報処理システム
１  情報処理装置
２−１、…、２−Ｎ  端末装置
３  通信回線網
４−１、…、４−Ｍ  入力用端末装置
１１  記憶部
１２  ＲＡＭ（Random Access Memory）
１３  入力部
１４  通信部
１５  ＣＰＵ（Central Processing Unit）
２１  記憶部
２２  ＲＡＭ
２３  入力部
２４  通信部
２５  ＣＰＵ
２６  表示部
１５１  処理部
【図１】
2017138670.tif 000003
【図２】
2017138670.tif 000004
【図３】
2017138670.tif 000005
【図４】
2017138670.tif 000006
【図５】
2017138670.tif 000007
【図６】
2017138670.tif 000008
【図７】
2017138670.tif 000009
【図８】
2017138670.tif 000010
【図９】
2017138670.tif 000011
【図１０】
2017138670.tif 000012
【図１１】
2017138670.tif 000013
【図１２】
2017138670.tif 000014
【図１３】
2017138670.tif 000015
【図１４】
2017138670.tif 000016
【図１５】
2017138670.tif 000017
【図１６】
2017138670.tif 000018
【図１７】
2017138670.tif 000019
【図１８】
2017138670.tif 000020
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶部と、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶部から取得するか、または前記指定の医療機関を識別する医療機関識別情報と関連付けられた薬局識別情報を前記記憶部から取得し、当該薬局識別情報に関連付けられた薬局地図位置情報を前記記憶部から取得し、当該医療機関識別情報に関連付けられた医療機関地図位置情報を前記記憶部から取得し、前記薬局地図位置情報と前記医療機関地図位置情報を用いて、地図画像上に当該薬局の位置と当該薬局が受領した処方箋を発行した医療機関の位置を示した出力画像を出力し、
前記記憶部には、対象とする薬局の薬局識別情報と、当該薬局が所定期間中に受領した処方箋の合計枚数を示す応需処方箋枚数情報とが関連付けられて記憶されており、
前記端末装置がユーザから薬局を指定する入力を受け付けた場合、前記処理部は、当該薬局を識別する薬局識別情報に関連付けられた応需処方箋枚数情報を前記記憶部から取得し、当該応需処方箋枚数情報を用いて、前記出力画像中に、当該薬局が所定期間中に受領した処方箋の枚数を含ませる情報処理システム。
【請求項２】
前記出力画像は、当該薬局の位置に当該薬局のアイコンが配置され、当該薬局が受領した処方箋を発行した医療機関の位置に当該医療機関のアイコンが配置された画像である
請求項１に記載の情報処理システム。
【請求項３】
前記出力画像において、前記医療機関のアイコンから、当該医療機関が発行した処方箋を受領した薬局のアイコンに向かって矢印が延びている
請求項２に記載の情報処理システム。
【請求項４】
前記処理部は、前記出力画像とともに、当該医療機関または薬局についての属性情報も出力する
請求項１から３のいずれか一項に記載の情報処理システム。
【請求項５】
前記記憶部には、対象とする薬局の薬局識別情報と、当該薬局の名称を示す薬局名情報とが関連付けられて記憶されており、
前記端末装置がユーザから薬局を指定する入力を受け付けた場合、前記処理部は、当該薬局を識別する薬局識別情報に関連付けられた薬局名情報を前記記憶部から取得し、当該薬局名情報を用いて、前記出力画像中に当該薬局の名称を含ませる
請求項１から４のいずれか一項に記載の情報処理システム。
【請求項６】
前記端末装置がユーザから薬局を指定する入力を受け付けた場合、前記処理部は、前記記憶部において当該薬局を識別する薬局識別情報に関連付けられた医療機関識別情報を用いて、前記出力画像中に、当該薬局が受領した処方箋を何軒の医療機関が発行したかを示す医療機関数を含ませる
請求項１から５のいずれか一項に記載の情報処理システム。
【請求項７】
前記記憶部には、前記薬局識別情報と前記医療機関識別情報との組に対して、当該医療機関識別情報で特定される医療機関が発行し且つ当該薬局識別情報で特定される薬局が受領した処方箋枚数を示す処方箋枚数情報が関連付けられて記憶されており、更に医療機関の名称を示す医療機関名情報と当該医療機関を識別する前記医療機関識別情報とが関連付けられて記憶されており、
前記処理部は、前記記憶部において前記指定の薬局の薬局識別情報に対応する医療機関識別情報と処方箋枚数情報とを用いて、前記指定の薬局が受領した処方箋枚数の多い順に医療機関の名称と当該医療機関が発行し且つ当該指定の薬局が受領した処方箋枚数を含む情報を出力する
請求項１から６のいずれか一項に記載の情報処理システム。
【請求項８】
前記記憶部には、対象とする医療機関の医療機関識別情報と、当該医療機関の名称を示す医療機関名情報とが関連付けられて記憶されており、
前記端末装置がユーザから医療機関を指定する入力を受け付けた場合、前記処理部は、当該医療機関を識別する医療機関識別情報に関連付けられた医療機関名情報を前記記憶部から取得し、当該医療機関名情報を用いて、前記出力画像中に当該医療機関の名称を含ませる
請求項１から７のいずれか一項に記載の情報処理システム。
【請求項９】
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶部と、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶部から取得するか、または前記指定の医療機関を識別する医療機関識別情報と関連付けられた薬局識別情報を前記記憶部から取得し、当該薬局識別情報に関連付けられた薬局地図位置情報を前記記憶部から取得し、当該医療機関識別情報に関連付けられた医療機関地図位置情報を前記記憶部から取得し、前記薬局地図位置情報と前記医療機関地図位置情報を用いて、地図画像上に当該薬局の位置と当該薬局が受領した処方箋を発行した医療機関の位置を示した出力画像を出力し、
前記記憶部には、対象とする医療機関の医療機関識別情報と、当該医療機関が所定期間中に発行した処方箋の合計枚数を示す院外処方箋枚数情報とが関連付けられて記憶されており、
前記端末装置がユーザから医療機関を指定する入力を受け付けた場合、前記処理部は、当該医療機関を識別する医療機関識別情報に関連付けられた院外処方箋枚数情報を前記記憶部から取得し、当該院外処方箋枚数情報を用いて、前記出力画像中に、当該医療機関が所定期間中に発行した処方箋の枚数を含ませる情報処理システム。
【請求項１０】
前記端末装置がユーザから医療機関を指定する入力を受け付けた場合、前記処理部は、前記記憶部において当該医療機関を識別する医療機関識別情報に関連付けられた薬局識別情報を用いて、前記出力画像中に、当該医療機関が発行した処方箋を何軒の薬局が受領したかを示す薬局数を含ませる
請求項１から９のいずれか一項に記載の情報処理システム。
【請求項１１】
前記記憶部には、前記薬局識別情報と前記医療機関識別情報との組に対して、当該医療機関識別情報で特定される医療機関が発行し且つ当該薬局識別情報で特定される薬局が受領した処方箋枚数を示す処方箋枚数情報が関連付けられて記憶されており、更に薬局の名称を示す薬局名情報と当該薬局を識別する前記薬局識別情報とが関連付けられて記憶されており、
前記処理部は、前記記憶部において前記指定の医療機関の医療機関識別情報に対応する薬局識別情報と処方箋枚数情報とを用いて、当該医療機関が発行した処方箋を受領した数が多い薬局から順に薬局の名称と当該薬局が受領した処方箋枚数を含む情報を出力する
請求項１から１０のいずれか一項に記載の情報処理システム。
【請求項１２】
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶装置を参照可能な情報処理装置であって、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶装置から取得するか、または前記指定の医療機関を識別する医療機関識別情報と関連付けられた薬局識別情報を前記記憶装置から取得し、当該薬局識別情報に関連付けられた薬局地図位置情報を前記記憶装置から取得し、当該医療機関識別情報に関連付けられた医療機関地図位置情報を前記記憶装置から取得し、前記薬局地図位置情報と前記医療機関地図位置情報を用いて、地図画像上に当該薬局の位置と当該薬局が受領した処方箋を発行した医療機関の位置を示した出力画像を出力し、
前記記憶装置には、対象とする薬局の薬局識別情報と、当該薬局が所定期間中に受領した処方箋の合計枚数を示す応需処方箋枚数情報とが関連付けられて記憶されており、
前記端末装置がユーザから薬局を指定する入力を受け付けた場合、前記処理部は、当該薬局を識別する薬局識別情報に関連付けられた応需処方箋枚数情報を前記記憶部から取得し、当該応需処方箋枚数情報を用いて、前記出力画像中に、当該薬局が所定期間中に受領した処方箋の枚数を含ませる情報処理装置。
【請求項１３】
端末装置に入力された薬局の指定または医療機関の指定を含む入力信号を受信する工程と、
前記指定の薬局を識別する薬局識別情報と関連付けられた医療機関識別情報を記憶部から取得するか、または前記指定の医療機関を識別する医療機関識別情報と関連付けられた薬局識別情報を前記記憶部から取得する工程と、
当該薬局識別情報に関連付けられた薬局地図位置情報を前記記憶部から取得する工程と、
当該医療機関識別情報に関連付けられた医療機関地図位置情報を前記記憶部から取得し、
前記薬局地図位置情報と前記医療機関地図位置情報を用いて、地図画像上に当該薬局の位置と当該薬局を受領した処方箋を発行した医療機関の位置を示した出力画像を出力する工程と、
を有し、
前記記憶部には、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されており、
前記記憶部には、対象とする薬局の薬局識別情報と、当該薬局が所定期間中に受領した処方箋の合計枚数を示す応需処方箋枚数情報とが関連付けられて記憶されており、
前記端末装置がユーザから薬局を指定する入力を受け付けた場合、前記処理部は、当該薬局を識別する薬局識別情報に関連付けられた応需処方箋枚数情報を前記記憶部から取得し、当該応需処方箋枚数情報を用いて、前記出力画像中に、当該薬局が所定期間中に受領した処方箋の枚数を含ませる工程を更に有する情報処理方法。
【請求項１４】
端末装置に入力された薬局の指定または医療機関の指定を含む入力信号を受信する通信部を備え、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶部を参照可能な情報処理装置を、
情報を処理する処理部として機能させるためのプログラムであって、
前記処理部は、前記指定の薬局を識別する薬局識別情報と関連付けられた医療機関識別情報を前記記憶部から取得するか、または前記指定の医療機関を識別する医療機関識別情報と関連付けられた薬局識別情報を前記記憶部から取得し、当該薬局識別情報に関連付けられた薬局地図位置情報を前記記憶部から取得し、当該医療機関識別情報に関連付けられた医療機関地図位置情報を前記記憶部から取得し、前記薬局地図位置情報と前記医療機関地図位置情報を用いて、地図画像上に当該薬局の位置と当該薬局を受領した処方箋を発行した医療機関の位置を示した出力画像を出力し、
前記記憶部には、対象とする薬局の薬局識別情報と、当該薬局が所定期間中に受領した処方箋の合計枚数を示す応需処方箋枚数情報とが関連付けられて記憶されており、
前記端末装置がユーザから薬局を指定する入力を受け付けた場合、前記処理部は、当該薬局を識別する薬局識別情報に関連付けられた応需処方箋枚数情報を前記記憶部から取得し、当該応需処方箋枚数情報を用いて、前記出力画像中に、当該薬局が所定期間中に受領した処方箋の枚数を含ませるプログラム。
【請求項１５】
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶装置を参照可能な情報処理装置であって、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶装置から取得するか、または前記指定の医療機関を識別する医療機関識別情報と関連付けられた薬局識別情報を前記記憶装置から取得し、当該薬局識別情報に関連付けられた薬局地図位置情報を前記記憶装置から取得し、当該医療機関識別情報に関連付けられた医療機関地図位置情報を前記記憶装置から取得し、前記薬局地図位置情報と前記医療機関地図位置情報を用いて、地図画像上に当該薬局の位置と当該薬局が受領した処方箋を発行した医療機関の位置を示した出力画像を出力し、
前記記憶装置には、対象とする医療機関の医療機関識別情報と、当該医療機関が所定期間中に発行した処方箋の合計枚数を示す院外処方箋枚数情報とが関連付けられて記憶されており、
前記端末装置がユーザから医療機関を指定する入力を受け付けた場合、前記処理部は、当該医療機関を識別する医療機関識別情報に関連付けられた院外処方箋枚数情報を前記記憶部から取得し、当該院外処方箋枚数情報を用いて、前記出力画像中に、当該医療機関が所定期間中に発行した処方箋の枚数を含ませる情報処理装置。
【請求項１６】
端末装置に入力された薬局の指定または医療機関の指定を含む入力信号を受信する工程と、
前記指定の薬局を識別する薬局識別情報と関連付けられた医療機関識別情報を記憶部から取得するか、または前記指定の医療機関を識別する医療機関識別情報と関連付けられた薬局識別情報を前記記憶部から取得する工程と、
当該薬局識別情報に関連付けられた薬局地図位置情報を前記記憶部から取得する工程と、
当該医療機関識別情報に関連付けられた医療機関地図位置情報を前記記憶部から取得し、
前記薬局地図位置情報と前記医療機関地図位置情報を用いて、地図画像上に当該薬局の位置と当該薬局を受領した処方箋を発行した医療機関の位置を示した出力画像を出力する工程と、
を有し、
前記記憶部には、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されており、
前記記憶部には、対象とする医療機関の医療機関識別情報と、当該医療機関が所定期間中に発行した処方箋の合計枚数を示す院外処方箋枚数情報とが関連付けられて記憶されており、
前記端末装置がユーザから医療機関を指定する入力を受け付けた場合、前記処理部は、当該医療機関を識別する医療機関識別情報に関連付けられた院外処方箋枚数情報を前記記憶部から取得し、当該院外処方箋枚数情報を用いて、前記出力画像中に、当該医療機関が所定期間中に発行した処方箋の枚数を含ませる情報処理方法。
【請求項１７】
端末装置に入力された薬局の指定または医療機関の指定を含む入力信号を受信する通信部を備え、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶部を参照可能な情報処理装置を、
情報を処理する処理部として機能させるためのプログラムであって、
前記処理部は、前記指定の薬局を識別する薬局識別情報と関連付けられた医療機関識別情報を前記記憶部から取得するか、または前記指定の医療機関を識別する医療機関識別情報と関連付けられた薬局識別情報を前記記憶部から取得し、当該薬局識別情報に関連付けられた薬局地図位置情報を前記記憶部から取得し、当該医療機関識別情報に関連付けられた医療機関地図位置情報を前記記憶部から取得し、前記薬局地図位置情報と前記医療機関地図位置情報を用いて、地図画像上に当該薬局の位置と当該薬局を受領した処方箋を発行した医療機関の位置を示した出力画像を出力し、
前記記憶部には、対象とする医療機関の医療機関識別情報と、当該医療機関が所定期間中に発行した処方箋の合計枚数を示す院外処方箋枚数情報とが関連付けられて記憶されており、
前記端末装置がユーザから医療機関を指定する入力を受け付けた場合、前記処理部は、当該医療機関を識別する医療機関識別情報に関連付けられた院外処方箋枚数情報を前記記憶部から取得し、当該院外処方箋枚数情報を用いて、前記出力画像中に、当該医療機関が所定期間中に発行した処方箋の枚数を含ませるプログラム。
【手続補正書】
【提出日】平成28年11月14日(2016.11.14)
【手続補正１】
【補正対象書類名】特許請求の範囲
【補正対象項目名】請求項１２
【補正方法】変更
【補正の内容】
【請求項１２】
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶装置を参照可能な情報処理装置であって、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶装置から取得するか、または前記指定の医療機関を識別する医療機関識別情報と関連付けられた薬局識別情報を前記記憶装置から取得し、当該薬局識別情報に関連付けられた薬局地図位置情報を前記記憶装置から取得し、当該医療機関識別情報に関連付けられた医療機関地図位置情報を前記記憶装置から取得し、前記薬局地図位置情報と前記医療機関地図位置情報を用いて、地図画像上に当該薬局の位置と当該薬局が受領した処方箋を発行した医療機関の位置を示した出力画像を出力し、
前記記憶装置には、対象とする薬局の薬局識別情報と、当該薬局が所定期間中に受領した処方箋の合計枚数を示す応需処方箋枚数情報とが関連付けられて記憶されており、
前記端末装置がユーザから薬局を指定する入力を受け付けた場合、前記処理部は、当該薬局を識別する薬局識別情報に関連付けられた応需処方箋枚数情報を記憶部から取得し、当該応需処方箋枚数情報を用いて、前記出力画像中に、当該薬局が所定期間中に受領した処方箋の枚数を含ませる情報処理装置。
【手続補正２】
【補正対象書類名】特許請求の範囲
【補正対象項目名】請求項１３
【補正方法】変更
【補正の内容】
【請求項１３】
端末装置に入力された薬局の指定または医療機関の指定を含む入力信号を受信する工程と、
前記指定の薬局を識別する薬局識別情報と関連付けられた医療機関識別情報を記憶部から取得するか、または前記指定の医療機関を識別する医療機関識別情報と関連付けられた薬局識別情報を前記記憶部から取得する工程と、
当該薬局識別情報に関連付けられた薬局地図位置情報を前記記憶部から取得する工程と、
当該医療機関識別情報に関連付けられた医療機関地図位置情報を前記記憶部から取得し、
前記薬局地図位置情報と前記医療機関地図位置情報を用いて、地図画像上に当該薬局の位置と当該薬局を受領した処方箋を発行した医療機関の位置を示した出力画像を出力する工程と、
を有し、
前記記憶部には、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されており、
前記記憶部には、対象とする薬局の薬局識別情報と、当該薬局が所定期間中に受領した処方箋の合計枚数を示す応需処方箋枚数情報とが関連付けられて記憶されており、
前記端末装置がユーザから薬局を指定する入力を受け付けた場合、処理部は、当該薬局を識別する薬局識別情報に関連付けられた応需処方箋枚数情報を前記記憶部から取得し、当該応需処方箋枚数情報を用いて、前記出力画像中に、当該薬局が所定期間中に受領した処方箋の枚数を含ませる工程を更に有する情報処理方法。
【手続補正３】
【補正対象書類名】特許請求の範囲
【補正対象項目名】請求項１５
【補正方法】変更
【補正の内容】
【請求項１５】
医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されている記憶装置を参照可能な情報処理装置であって、
端末装置に入力された薬局の指定または医療機関の指定を含む入力信号を受信する通信部と、
情報を処理する処理部と、
を備え、
前記処理部は、前記指定の薬局を識別する薬局識別情報と関連付けられた医療機関識別情報を前記記憶装置から取得するか、または前記指定の医療機関を識別する医療機関識別情報と関連付けられた薬局識別情報を前記記憶装置から取得し、当該薬局識別情報に関連付けられた薬局地図位置情報を前記記憶装置から取得し、当該医療機関識別情報に関連付けられた医療機関地図位置情報を前記記憶装置から取得し、前記薬局地図位置情報と前記医療機関地図位置情報を用いて、地図画像上に当該薬局の位置と当該薬局が受領した処方箋を発行した医療機関の位置を示した出力画像を出力し、
前記記憶装置には、対象とする医療機関の医療機関識別情報と、当該医療機関が所定期間中に発行した処方箋の合計枚数を示す院外処方箋枚数情報とが関連付けられて記憶されており、
前記端末装置がユーザから医療機関を指定する入力を受け付けた場合、前記処理部は、当該医療機関を識別する医療機関識別情報に関連付けられた院外処方箋枚数情報を記憶部から取得し、当該院外処方箋枚数情報を用いて、前記出力画像中に、当該医療機関が所定期間中に発行した処方箋の枚数を含ませる情報処理装置。
【手続補正４】
【補正対象書類名】特許請求の範囲
【補正対象項目名】請求項１６
【補正方法】変更
【補正の内容】
【請求項１６】
端末装置に入力された薬局の指定または医療機関の指定を含む入力信号を受信する工程と、
前記指定の薬局を識別する薬局識別情報と関連付けられた医療機関識別情報を記憶部から取得するか、または前記指定の医療機関を識別する医療機関識別情報と関連付けられた薬局識別情報を前記記憶部から取得する工程と、
当該薬局識別情報に関連付けられた薬局地図位置情報を前記記憶部から取得する工程と、
当該医療機関識別情報に関連付けられた医療機関地図位置情報を前記記憶部から取得し、
前記薬局地図位置情報と前記医療機関地図位置情報を用いて、地図画像上に当該薬局の位置と当該薬局を受領した処方箋を発行した医療機関の位置を示した出力画像を出力する工程と、
を有し、
前記記憶部には、医療機関を識別する医療機関識別情報と、当該医療機関が発行した処方箋を受領した薬局を識別する薬局識別情報とが関連付けられて記憶されており、対象とする医療機関の医療機関識別情報と、当該医療機関の地図画像上の位置を示す医療機関地図位置情報とが関連付けられて記憶されており、対象とする薬局の薬局識別情報と、当該薬局の地図画像上の位置を示す薬局地図位置情報とが関連付けられて記憶されており、
前記記憶部には、対象とする医療機関の医療機関識別情報と、当該医療機関が所定期間中に発行した処方箋の合計枚数を示す院外処方箋枚数情報とが関連付けられて記憶されており、
前記端末装置がユーザから医療機関を指定する入力を受け付けた場合、処理部は、当該医療機関を識別する医療機関識別情報に関連付けられた院外処方箋枚数情報を前記記憶部から取得し、当該院外処方箋枚数情報を用いて、前記出力画像中に、当該医療機関が所定期間中に発行した処方箋の枚数を含ませる情報処理方法。